(57)【要約】【課題】照明装置の構成部品をベース部材に組み付ける際に、作業を簡素化することで、生産効率の向上ならびに部品の組み付け間違いなどの低減を図る。【解決手段】車内用照明装置であって、照明装置２０のベース部材２２と、照明用の光源（バルブ２４ａ）およびスイッチ類を有し、ベース部材２２の内部に組み込まれるプリント基板２４と、この基板をベース部材２２に固定するための取付け部材（ベゼル２６）と、ベース部材の内部を被った状態で、その表面側に固定される照明用のレンズ２８とを備えている。これらのプリント基板、取付け部材およびレンズがベース部材に対し、その表裏におけるいずれか一方側から積み重ねるようにそれぞれ組み付けられている。【選択図】図２
2008044431.tif 000002
【特許請求の範囲】
【請求項１】
照明装置のベース部材と、照明用の光源およびスイッチ類を有し、ベース部材の内部に組み込まれるプリント基板と、この基板をベース部材に固定するための取付け部材と、ベース部材の内部を被った状態で、その表面側に固定される照明用のレンズとを備え、これらのプリント基板、取付け部材およびレンズがベース部材に対し、その表裏におけるいずれか一方側から積み重ねるようにそれぞれ組み付けられている車内用照明装置。
【請求項２】
請求項１に記載された車内用照明装置であって、
ベース部材に対してプリント基板、取付け部材およびレンズが、この順番でベース部材の表側からそれぞれ組み付けられているとともに、プリント基板が光源への通電をオンオフするプッシュスイッチを有し、レンズがプッシュスイッチの操作部材としての機能を兼ねている車内用照明装置。
【請求項３】
請求項２に記載された車内用照明装置であって、
プリント基板が光源の照度を調整するためのスライドスイッチを有するとともに、取付け部材がレンズの開口部を通じて表側に臨んでおり、この取付け部材に対してスライドスイッチを操作するためのノブがレンズの後からスライド操作可能に組み付けられている車内用照明装置。
【発明の詳細な説明】
【技術分野】
【０００１】
本発明は、自動車における運転席上方の天井に設置されたオーバーヘッドコンソールのマップランプで代表されるような車内用照明装置に関する。
【背景技術】
【０００２】
この種の照明装置は、そのベース部材に対して各種の構成部品を組み付け際に、照明用の光源およびスイッチ類を有するプリント基板はベース部材の裏側から組み付けられ、ベース部材に対して複数本のビスで固定されている。一方、照明用のレンズはベース部材の表側（意匠面）から組み付けている。つまり、照明装置の各構成部品はベース部材の表裏両側から組み付けられている。
なお、車内の天井側に設けられる一般的な照明装置については、例えば特許文献１に開示された技術が公知である。
【特許文献１】特開平８−２３０５６１号公報
【発明の開示】
【発明が解決しようとする課題】
【０００３】
オーバーヘッドコンソールにおけるマップランプなどの照明装置では、その構成部品をベース部材に組み付けるとき、少なくともプリント基板とレンズとではベース部材の表裏を反転させる手間が余分に必要となる。このことは、特に組み付けラインでの繰り返し作業において生産効率の低下を招き、また部品の組み付け間違いなどによる不良品の発生も生じやすい。
【０００４】
本発明は、このような課題を解決しようとするもので、その目的は、照明装置の構成部品をベース部材に組み付ける際に、作業を簡素化することで、生産効率の向上ならびに部品の組み付け間違いなどの低減を図ることである。
【課題を解決するための手段】
【０００５】
本発明は、上記の目的を達成するためのもので、以下のように構成されている。
第１の発明は、車内用照明装置であって、照明装置のベース部材と、照明用の光源およびスイッチ類を有し、ベース部材の内部に組み込まれるプリント基板と、この基板をベース部材に固定するための取付け部材と、ベース部材の内部を被った状態で、その表面側に固定される照明用のレンズとを備えている。これらのプリント基板、取付け部材およびレンズがベース部材に対し、その表裏におけるいずれか一方側から積み重ねるようにそれぞれ組み付けられている。
【０００６】
この構成によれば、ベース部材に対してプリント基板、取付け部材およびレンズを組み付ける作業に際し、このベース部材の表裏を反転させる手間が不要となり、作業の簡素化を図ることができる。これによって生産効率の向上が可能となり、かつ、組み付け作業の単純化によって部品の組み付け間違いなどによる不良品の発生を低減することができる。
【０００７】
第２の発明は、第１の発明において、ベース部材に対してプリント基板、取付け部材およびレンズが、この順番でベース部材の表側からそれぞれ組み付けられている。そしてプリント基板が光源への通電をオンオフするプッシュスイッチを有し、レンズがプッシュスイッチの操作部材としての機能を兼ねている。
【０００８】
これにより、プッシュスイッチを切り換えるときのレンズを操作する力の方向と、ベース部材に対するプリント基板の組み付け方向とが同じになる。このため、プッシュスイッチが受ける操作力をベース部材で受け止めることとなり、ベース部材とプリント基板とを固定するビス締めなどが不要となって作業性の向上ならびにコストダウンを図ることができる。
【０００９】
第３の発明は、第２の発明において、プリント基板が光源の照度を調整するためのスライドスイッチを有するとともに、取付け部材がレンズの開口部を通じて表側に臨んでおり、この取付け部材に対してスライドスイッチを操作するためのノブがレンズの後からスライド操作可能に組み付けられている。
【００１０】
この場合、スライドスイッチを操作するノブを含めてベース部材に対し、その表側から組み付けることができ、組み付け作業がさらに簡素化される。
【発明を実施するための最良の形態】
【００１１】
以下、本発明を実施するための最良の形態を、図面を用いて説明する。
図１は自動車用のオーバーヘッドコンソールを表側（意匠面側）から見た外観斜視図である。この図面で示すオーバーヘッドコンソールの構成は、コンソールボックス１０と照明装置２０とに大別される。コンソールボックス１０は、内部に眼鏡やその他の小物を収納するためのもので、その表側から開閉操作可能な蓋１２を備えている。照明装置２０は例えばマップランプであって、表側から照明のオンオフおよび照度を調整する操作が可能である。
【００１２】
図２は照明装置２０の構成部品を分解して表した外観斜視図である。図３は図１のA-A矢視方向の断面図である。これらの図面からも明らかなように、照明装置２０のベース部材２２は、コンソールボックス１０の本体部分と一体に樹脂成形されている。そしてベース部材２２は、その表側で開放された箱形状の空間部２２ａを有する。この空間部２２ａを構成する底板部分には、後述するベゼル２６の4個の係止爪２６ａを個別に差し込むことが可能な同数の貫通孔２２ｂが開けられている（図２）。
【００１３】
ベース部材２２の空間部２２ａに組み込まれるプリント基板２４（サブアッセンブリ）は、照明装置２０の光源である二つのバルブ２４ａ、一つのスライドスイッチ２４ｂおよび二つのプッシュスイッチ２４ｃをそれぞれ有する。スライドスイッチ２４ｂは、プリント基板２４のほぼ中央に位置し、その両側に二つのバルブ２４ａおよび二つのプッシュスイッチ２４ｃがそれぞれ位置している。両プッシュスイッチ２４ｃは、両バルブ２４ａへの通電をオンオフすることができ、スライドスイッチ２４ｂは両バルブ２４ａの照度を調整することができる。
【００１４】
またプリント基板２４には、つぎに説明するベゼル２６の各凹部２６ｂを個別に差し込み可能な4個の貫通孔２４ｄが開けられている（図２）。プリント基板２４をベース部材２２の空間部２２ａに組み込んだ状態において、ベース部材２２の各貫通孔２２ｂとプリント基板２４の各貫通孔２４ｄとが個々に一致するように設定されている。
【００１５】
ベース部材２２の空間部２２ａに組み込まれる樹脂製のベゼル２６は、その背面側において4個の係止爪２６ａをそれぞれ備えている（図２）。これらの各係止爪２６ａは、既に述べたようにプリント基板２４の各貫通孔２４ｄおよびベース部材２２の各貫通孔２２ｂに挿通させることが可能である。そしてベース部材２２の各貫通孔２２ｂに差し込まれた各係止爪２６ａは、ベース部材２２（空間部２２ａの底板部分）に係止（スナップフィット）して抜け止め状態となる。
【００１６】
ベゼル２６の前面側には、スライドスイッチ用のノブ３０を組み込むための凹部２６ｂが設けられている。またベゼル２６は中空になっており、凹部２６ｂの底部には中空内に通じる挿通孔２６ｃが開けられている（図３）。なおベゼル２６の背面側は、各係止爪２６ａが形成されている箇所を除いて開放されていて、中空内にプリント基板２４のスライドスイッチ２４ｂが収まるようになっている。
【００１７】
照明用のレンズ２８は、ベース部材２２の空間部２２ａを被った状態で、このベース部材２２の表面側に組み付けられる。このレンズ２８の中央部に開けられている開口部２８ａには、ベゼル２６の前面側が嵌り込むようになっている（図３）。レンズ２８における開口部２８ａの両側は、素材の弾性によって撓むようになっており、プリント基板２４の両プッシュスイッチ２４ｃを入り切りするための操作面２８ｂとなっている。一方、スライドスイッチ用のノブ３０は、ベゼル２６の挿通孔２６ｃを通じてプリント基板２４のスライドスイッチ２４ｂに結合される結合部３０ａを備えている。
【００１８】
つづいて、照明装置２０の各構成部品を組み付ける手順について説明する。
ベース部材２２の空間部２２ａに対して、まずプリント基板２４をセットし、その後からベゼル２６を組み付ける。このベゼル２６の組み付けについては、既に説明したようにベゼル２６の各係止爪２６ａをプリント基板２４の各貫通孔２４ｄおよびベース部材２２の各貫通孔２２ｂに差し込むことにより、各係止爪２６ａがベース部材２２に係止する。したがってプリント基板２４は、ベース部材２２とベゼル２６とによって挟み付けられた状態でベース部材２２にしっかりと固定される。なお、このベゼル２６は、本発明においてベース部材にプリント基板を固定するための「取付け部材」に相当する。
【００１９】
ベゼル２６によってベース部材２２にプリント基板２４を固定した状態では、すでに述べたようにベゼル２６の中空内にはプリント基板２４のスライドスイッチ２４ｂが収まっている（図３）。そこでベース部材２２に対し、その空間部２２ａを被った状態でレンズ２８を組み付けた後、スライドスイッチ用のノブ３０をレンズ２８の開口部２８ａからベゼル２６の凹部２６ｂに組み付ける。このとき、ノブ３０の結合部３０ａがベゼル２６の挿通孔２６ｃを通じてスライドスイッチ２４ｂに結合される（図３）。またレンズ２８の両操作面２８ｂは、プリント基板２４の両プッシュスイッチ２４ｃにそれぞれ対向している。
【００２０】
このように照明装置２０の各構成部品を組み付けた状態において、レンズ２８の両操作面２８ｂのいずれかを押すことにより、個々に対応するプッシュスイッチ２４ｃの入り切りが交互に繰り返され、バルブ２４ａのオンオフを切り換えることができる。一方、ベゼル２６の凹部２６ｂに位置するノブ３０をスライドさせてスライドスイッチ２４ｂを操作することにより、両バルブ２４ａの照度を調整することができる。
【００２１】
以上の説明から明らかなように、照明装置２０の構成部品であるプリント基板２４、ベゼル２６、レンズ２８およびノブ３０をベース部材２２に対して、その表側から積み重ねるようにそれぞれ組み付けることにより、その作業中にベース部材２２の表裏を反転させる手間が不要となる。これは照明装置２０の組み付けラインなどでは、かなりの労力軽減となって生産効率が向上するとともに、組み付け作業の単純化によって部品の組み付け間違いなどによる不良品の発生率が低減する。
【００２２】
また、この組み付け構造によれば、プリント基板２４の両プッシュスイッチ２４ｃを切り換えるためにレンズ２８の操作面２８ｂを押す方向と、ベース部材２２に対するプリント基板２４の組み付け方向とが共に同じ方向になる。したがってプリント基板２４のスライドスイッチ２４ｂが受ける操作力をベース部材２２によって受け止めることができ、プリント基板２４を固定するためのビス締めなどが不要となる。
【００２３】
以上は本発明を実施するための最良の形態を図面に関連して説明したが、この実施の形態は本発明の趣旨から逸脱しない範囲で容易に変更または変形できるものである。
例えば、本発明の照明装置２０はオーバーヘッドコンソールのマップランプなどに限定されるものではなく、各種の車内用照明に適用することができる。またプッシュスイッチ２４ｃの切り換え手段としては、レンズ２８の操作面２８ｂに代えて専用操作部材をレンズ２８の表面側に組み付けた構成であってもよい。ただし、その場合でも専用操作部材を押す方向とプリント基板２４の組み付け方向とを同じにすることで、前記と同様の機能が得られる。
【図面の簡単な説明】
【００２４】
【図１】オーバーヘッドコンソールの外観斜視図
【図２】照明装置の構成部品を分解して表した外観斜視図
【図３】図１のA-A矢視方向の断面図
【符号の説明】
【００２５】
２０ 照明装置
２２ ベース部材
２４ プリント基板
２４ａ  バルブ（光源）
２４ｂ  スライドスイッチ
２４ｃ  プッシュスイッチ
２６ ベゼル（取付け部材）
２８ レンズ
【図１】
2008044431.tif 000003
【図２】
2008044431.tif 000004
【図３】
2008044431.tif 000005